(57)【要約】【課題】本発明は、カブトムシ等の有角甲虫が、内部の餌をほとんど全て食することができ、餌の有無を飼育者が容易に知ることができる容器に収容された餌を提供することを課題とする。【解決手段】上記課題を解決するため、本発明では、カブトムシ又はクワガタムシ等の有角甲虫用餌１において、平置き可能な形状であって、平置き状態において上部側が開口し、当該開口部６の最長径が３０ｍｍ以上であり、深さが開口部６の最長径の５０％未満である樹脂製の容器２に餌５が収容されたことを特徴とした。【選択図】図１
2008220209.tif 000002
【特許請求の範囲】
【請求項１】
カブトムシ又はクワガタムシ等の有角甲虫用餌において、
平置き可能な形状であって、平置き状態において上部側が開口し、当該開口部の最長径が３０ｍｍ以上であり、深さが開口部の最長径の５０％未満である樹脂製の容器に餌が収容されたことを特徴とする有角甲虫用餌。
【請求項２】
前記容器は、短円柱状であり、開口部の径が５０ｍｍ以下であり、餌の内容量が１５〜２５ｇの範囲内であることを特徴とする請求項１に記載の有角甲虫用餌。
【発明の詳細な説明】
【技術分野】
【０００１】
本発明は、カブトムシやクワガタムシ等の様な巨大な角をもった甲虫に適した餌に関するものである。
【背景技術】
【０００２】
カブトムシやクワガタムシは、その特異な形態から、小児、特に男児が好み、競って飼育する。旧来、これらの甲虫は、小児が山や林で自生するものを捕獲して飼育していたが、近年では専門の業者が養殖したり捕獲してペットショップ等で販売されている。またこれに伴って、これら甲虫用の餌についてもペットショップ等で販売されている。
【０００３】
下記の非特許文献１に開示されている従来技術の有角甲虫用餌５１は、図７の様な形状の樹脂容器５２に収容されている。従来技術の有角甲虫用餌５１の容器５２の寸法は、図７の通りである。即ち従来技術の餌は、開口部５３が狭く、底５５が丸く、深い容器５２に収容されていた。そして従来技術の有角甲虫用餌５１は、餌を容器５２から取り出してとまり木等に塗り付け、カブトムシ等に食べさせて使用するものである。
【０００４】
しかし、容器５２から餌を取り出すには容器５２を強く押さねばならず、小児にとっては困難な作業であった。また餌を容器５２から取り出す際に手に餌が付き、手が汚れるなどの問題点があった。そこで、有角甲虫用餌５１を容器５２ごと飼育ケース内に入れ、カブトムシ等に食させることが多かった。
【０００５】
【非特許文献１】インターネット＜ＵＲＬ：http://www.ugpet.com/shop/zoom_F-70/＞
【発明の開示】
【発明が解決しようとする課題】
【０００６】
けれども、本発明者らは、従来技術の有角甲虫用餌５１を容器５２ごと飼育ケースに入れると、カブトムシ等は餌を十分に食することができない事実を発見した。
成虫のカブトムシ等は、経験上、一日に１０ｇ程度の餌を食べる。しかしながら、従来技術の有角甲虫用餌５１を容器５２ごと飼育ケースに入れると、カブトムシ等は数グラムしか餌を食わず、多くの餌が容器５２内に残っていた。
そこで本発明者らは、この事実を不審に思い、カブトムシの挙動を観察した。その結果、従来技術の有角甲虫用餌５１を容器５２ごと飼育ケースに入れると、カブトムシ等は餌を十分に食することができないことを発見した。
【０００７】
即ち従来技術の有角甲虫用餌５１の容器は、底５５が丸く自立することができない。そのため飼育ケースに入れると図８の様に容器５２を横向けに傾けた姿勢となる。カブトムシ等は、この状態で餌に近づくが、カブトムシ等は巨大な角があるので、角が容器５２の縁に当たり、餌に近づくことができない。
また図９の様に容器５２を土に埋め込んで、上部だけを露出させた場合も同様であり、角が容器５２の内壁と当接し、頭部を容器５２内に入れることができない。
【０００８】
そのため、従来技術の有角甲虫用餌５１を容器５２ごと飼育ケースに入れると、カブトムシ等は、餌のごく一部しか食することができず、大部分の餌は容器５２内に残ってしまう。また飼育者は、飼育ケース内に餌が十分残留していると誤解するので、新たな餌を投入しない。そしてカブトムシ等は、餌を食することができず、結局飢えて死ぬこととなる。
【０００９】
そこで本発明は、上記した新たな発見に基づいて完成されたものであり、カブトムシ等が食べやすい容器に収容された餌を提供することを課題とするものである。
【課題を解決するための手段】
【００１０】
上記した課題を解決するための請求項１に記載の発明は、カブトムシ又はクワガタムシ等の有角甲虫用の餌において、平置き可能な形状であって、平置き状態において上部側が開口し、当該開口部の最長径が３０ｍｍ以上であり、深さが開口部の最長径の５０％未満である樹脂製の容器に餌が収容されたことを特徴とする有角甲虫用餌である。
【００１１】
請求項１の有角甲虫用餌は、平置き可能な形状であるから飼育ケース内に入れやすい。また請求項１の有角甲虫用餌は、開口が広く、底が浅い。そのためカブトムシ等が開口部に乗っても安定性が高く、カブトムシ等は安定した姿勢で餌を嘗めることができる。また請求項１の有角甲虫用餌は、開口が広く、底が浅いので、餌を食べる際に角が邪魔にならない。そのためカブトムシ等は容器内の餌を余すことなく食することができる。従って飼育者は餌が無いことを容易に知ることができ、カブトムシ等の餓死を未然に防止することができる。
また、開口部の最長径とは、開口部が円形状の場合には、その直径を意味する。
【００１２】
ここで、飼育ケース内に大量の餌が投入されたとしても、投入された餌は、カブトムシ等が食さない限り飼育ケース内に残ってしまう。飼育ケース内で餌が長期間放置されると、餌が腐ったり、餌にハエが集ったり、カブトムシ等の活動によって餌に腐葉土等が付着したりするおそれがある。そのため、有角甲虫用の餌は１〜３日程度で交換されることが望ましい。また成虫のカブトムシ等は、経験上、一日に１０ｇ程度の餌を食べる。
【００１３】
かかる知見に基づいて提案される請求項２の有角甲虫用餌は、請求項１に記載の発明において、前記容器は、短円柱状であり、開口部の径が５０ｍｍ以下であり、餌の内容量が１５〜２５ｇの範囲内であることを特徴とした。
【００１４】
請求項２の有角甲虫用餌は、内容量をカブトムシ等が１〜２日程度で食べきれる量としたため、餌を無駄にすることなく効率的に餌の交換を行うことができる。また餌が収容される容器の外形形状を短円柱状であって開口部の径を５０ｍｍ以下としたため、飼育ケース内に入れられる際に、大きなスペースを必要とせず、飼育ケース内で邪魔にならない。
【発明の効果】
【００１５】
本発明の有角甲虫用餌は、カブトムシやクワガタムシにとって食べやすい。また本発明の有角甲虫用餌は、カブトムシ等が容器内の餌をほとんど全て食することができるので、飼育者は餌が無いことを容易に知ることができ、カブトムシ等の餓死を未然に防止することができる効果がある。
【発明を実施するための最良の形態】
【００１６】
以下さらに本発明の実施形態について説明する。
図１は、本発明の実施形態の有角甲虫用餌の斜視図である。図２は、本発明の実施形態の有角甲虫用餌の断面図であり、カブトムシが餌を食している状態を示すものである。
【００１７】
図１および図２は、本発明の有角甲虫用餌１を示す。本発明の有角甲虫用餌１は、容器２内にゼリー状餌５（餌）が収容されたものであり、容器２に特徴がある。
容器２は、ポリプロピレン樹脂やポリエチレン樹脂等の公知の樹脂で成形されたものである。容器２の外形形状は、短円柱状であり、有底８であって天面１０が開口している。
【００１８】
容器２の開口部６は円形であり、開口径は、３０〜５０ｍｍの範囲内であることが望ましい。より好ましくは３５ｍｍ以上であり、本実施形態において開口径は、略３９ｍｍに形成されている。また容器２の深さは、開口径の５０％未満であり、１６ｍｍ未満であることが望ましい。
【００１９】
容器の開口部６には、フランジ３が設けられており、フランジ３の幅は３〜５ｍｍ程度である。開口部６は、通常図１に示すようにシール７によって塞がれており、使用時には当該シール７を剥がして、図２に示すように容器２内部に収容されたゼリー状の餌５を露出させることができる。前記シール７は、前記フランジ３に貼着されている。
【００２０】
また容器２の底８は、天面１０と略平行であり、略平坦に形成されている。容器２の周壁部１１には、微小な段部１２が設けられている。
【００２１】
そして容器２の内部には、公知の餌と同様にゼリー状餌５が充填されている。ゼリー状餌５は、たとえば、サトウキビエキス、トレハロース、スチロール、はちみつ、糖類、たんぱく質等を含むものである。
【００２２】
本発明の有角甲虫用餌１は、表面のシール７を剥がして使用される。即ち使用時には当該シール７を剥がして容器２内部のゼリー状餌５を露出させ、飼育ケースに入れられる。本実施形態の有角甲虫用餌１は、全体形状が短円柱状であり、且つ、底８が略平坦であるから、底８を地面側に接した状態で安定する。即ち本実施形態の有角甲虫用餌１は、平置き状態で安定する。
また全高が低いので、底８を地面側に設置しても、開口部６の高さはさほど高いものとはならず、図２に示すようにカブトムシ等がかぶさることができる。
【００２３】
さらに開口径が広く、底８が浅いので、カブトムシ等は容器２の内部に頭を突っ込むことができ、さらに角が容器２に引っ掛かることはない。そのためカブトムシ等は、口の部位を容器２の底８に到達させることができ、容器２内のゼリー状餌５を余すこと無く食べ切ることができる。
【００２４】
その結果、飼育者は、容器２内にゼリー状餌５が無くなることで飼育ケース内に餌が不足していると認識することができ、新たな餌を投入することができる。従って飼育ケース内のカブトムシ等を餓死させることなく、長生きさせることができる。
【００２５】
本実施形態の有角甲虫用餌１は、バラ入れ状で袋詰めしてもよいが、図３の様な収納ケース１５内に収納して販売することが推奨される。
即ち収納ケース１５は、ポリ塩化ビニル樹脂等の樹脂で作られたものであり、大きく二つの収納エリア１６，１７を持つ。二つの収納エリア１６，１７はヒンジ部１８で接合されている。
【００２６】
二つの収納エリア１６，１７はいずれも複数の凹部２０を持つ。凹部２０の形状は、前記した有角甲虫用餌１の容器２の形状と一致し（フランジ部を除く）、凹部２０の内面には凹凸係合部２１が設けられている。
なお本実施形態では、一方の収納エリア１６には一つだけ大きな凹部２２が設けられている。大きな凹部２２は、付属品や付録を収納する空間である。
【００２７】
本実施形態の有角甲虫用餌１は、収納ケース１５の凹部２０（大きな凹部を除く）に収納することができる。ここで有角甲虫用餌１の容器２にはフランジ３が設けられているので、フランジ部３は、凹部２０には収納されず凹部２０から露出する。また有角甲虫用餌１の周壁部１１に設けられた段部１２が、収納ケース１５の凹部２０に設けられた凹凸係合部２１と係合する。そのため有角甲虫用餌１は、収納ケース１５の凹部２０に固定され、外れにくい状態となる。ただし収納ケース１５は薄く形成されており変形しやすいので、有角甲虫用餌１のフランジ部３を掴んで強く引き抜けば、有角甲虫用餌１を収納ケース１５の凹部２０から容易に外すことができる。
【００２８】
収納ケース１５の各凹部２０に有角甲虫用餌１が収納された状態で、収納ケース１５はヒンジ部１８から折り曲げられ、図４に示すような二つ折り状態となる。
本実施形態で採用する収納ケース１５では、凹部２０に有角甲虫用餌１が装着されるので、有角甲虫用餌１の個数の確認が容易である。即ち販売時には、収納ケース１５の各凹部２０に有角甲虫用餌１を収納して袋詰めする。従って収納ケース１５の凹部２０が全部埋まっており、有角甲虫用餌１が余っていれば、個数が過多になっている。また収容ケース１５に空いた凹部２０があれば個数が不足している。
【００２９】
次に有角甲虫用餌１の変形例について説明する。
前述した有角甲虫用餌１は、容器２が短円柱状であったが、本発明は、この形状に限定されるものではなく、例えば図５の様に平面視が四角形の容器４１のように多角形であってもよい。平面視が多角形である場合は、対角線等の最長径が３０ｍｍ以上であり、深さが、開口部の最長径の５０％未満であることが必要である。
また図６の様なすり鉢状の容器４２を採用することも可能である。
【図面の簡単な説明】
【００３０】
【図１】本発明の実施形態の有角甲虫用餌の斜視図である。
【図２】本発明の実施形態の有角甲虫用餌の断面図であり、カブトムシが餌を食している状態を示すものである。
【図３】本発明の実施形態の収納ケースが開いている状態の斜視図である。
【図４】本発明の実施形態の収納ケースが閉じている状態の斜視図である。
【図５】本発明の変形例の有角甲虫用餌の斜視図である。
【図６】本発明の変形例の有角甲虫用餌の断面図である。
【図７】従来技術の甲虫用餌の正面図である。
【図８】従来技術の甲虫用餌をカブトムシが食している状態を示す説明図である。
【図９】従来技術の甲虫用餌をカブトムシが食している状態を示す説明図である。
【符号の説明】
【００３１】
１  有角甲虫用餌
２  容器
５  ゼリー状餌（餌）
６  開口部
【図１】
2008220209.tif 000003
【図２】
2008220209.tif 000004
【図３】
2008220209.tif 000005
【図４】
2008220209.tif 000006
【図５】
2008220209.tif 000007
【図６】
2008220209.tif 000008
【図７】
2008220209.tif 000009
【図８】
2008220209.tif 000010
【図９】
2008220209.tif 000011